(57)【特許請求の範囲】
【請求項１】
側縁に脚周りに沿う括れ部分が設けられており、
この括れ部分の前後方向中央部と対応する前後方向領域である股間領域と、股間領域よりも前側及び後側にそれぞれ延在する股間前側領域及び股間後側領域とを有し、
液透過性トップシートと、液不透過性シートと、これらの間に介在された吸収体と、アウターの内面に固定するためのズレ止め部とを備えた、アウター固定タイプ使い捨ておむつにおいて、
前記股間領域の幅方向中央部における前記液不透過性シートと前記トップシートの間の位置から、前記股間前側領域又は股間後側領域の側縁の側方まで斜め方向に直線的に延び、当該側縁から側方に突出する部分が前記アウターの脚開口の外側まで延在し、突端が閉塞された尿導出管路と、
前記股間領域における前記液不透過性シートと前記トップシートの間の位置から前記尿導出管路の突端部まで延在する尿拡散部材と、
前記尿導出管路の突端部内に設けられた、尿との接触により変色するインジケータとを備え、
前記股間領域に排尿があると、尿が尿拡散部材を通じて前記尿導出管路の突端部まで拡散して前記インジケータを変色させ、このインジケータの変色を、前記アウターの装着状態で前記尿導出管路における前記アウターの脚開口の外側に突出する部分において視認可能なように構成されている、
ことを特徴とするアウター固定タイプ使い捨ておむつ。
【請求項２】
股間領域と、股間領域よりも前側及び後側にそれぞれ延在する股間前側領域及び股間後側領域とを有し、
液透過性トップシートと、液不透過性シートと、これらの間に介在された吸収体と、アウターの内面に固定するためのズレ止め部とを備えた、アウター固定タイプ使い捨ておむつにおいて、
前記股間領域の幅方向中央部における前記液不透過性シートと前記トップシートの間の位置から、前記股間前側領域又は股間後側領域の側縁の側方まで脚の付け根に沿うように曲線状に延び、当該側縁から側方に突出する部分が前記アウターの脚開口の外側まで延在し、突端が閉塞された尿導出管路と、
前記股間領域における前記液不透過性シートと前記トップシートの間の位置から前記尿導出管路の突端部まで延在する尿拡散部材と、
前記尿導出管路の突端部内に設けられた、尿との接触により変色するインジケータとを備え、
前記股間領域に排尿があると、尿が尿拡散部材を通じて前記尿導出管路の突端部まで拡散して前記インジケータを変色させ、このインジケータの変色を、前記アウターの装着状態で前記尿導出管路における前記アウターの脚開口の外側に突出する部分において視認可能なように構成されている、
ことを特徴とするアウター固定タイプ使い捨ておむつ。
【請求項３】
前記尿導出管路は、シートを前記突端で折り返して二重にし、両側縁をシールしたものである、請求項１又は２記載のアウター固定タイプ使い捨ておむつ。
【発明の詳細な説明】
【技術分野】
【０００１】
本発明は、特にテープタイプやパンツタイプ等の使い捨ておむつ又は下着（以下、総称してアウターともいう）の内面に固定して使用されるアウター固定タイプの使い捨ておむつに関するものである。
【背景技術】
【０００２】
このようなアウター固定タイプの代表的なものとして、おむつ交換費用の低減や、トイレトレーニングを目的としてアウターの内面に取り付けて使用されるパッドタイプ使い捨ておむつがある（例えば特許文献１または２参照）。
【０００３】
一般的なパッドタイプ使い捨ておむつは、透液性トップシートと不透液性シートとの間に吸収体が介在されてなる基本構造を有しており、製品によっては不織布等からなる外装シートによって不透液性シートの裏面側が覆われている。また、一般的なパッドタイプ使い捨ておむつの裏面には、粘着剤層又は面ファスナー（メカニカルファスナー）のフックテープからなるズレ止め部が設けられており、このズレ止め部がおむつ又は下着の内面に係止されることにより装着時のズレが防止されるようになっている。
【０００４】
他方、乳幼児用使い捨ておむつの多くは、尿等の排泄の有無を呈色や消色によって外部から視認可能とするインジケータを備えている（例えば特許文献３参照）。使用者は、使い捨ておむつを装着した状態で、インジケータの呈色（発色又は変色）や消色を外部から視認することにより、排泄のあったことを認識でき、おむつ交換の目安にすることができる。
【０００５】
しかしながら、アウター固定タイプの使い捨ておむつは、インジケータを設けたとしてもその変化がアウターにより遮断されるため、従来はアウターの透明度を上げる（特許文献４参照）といった解決手段や、側方への張り出し部にインジケータを設ける（特許文献５参照）といった解決手段が提案されている。
【先行技術文献】
【特許文献】
【０００６】
【特許文献１】特開２００５−２８７７９１号公報
【特許文献２】特開２００３−２１０５２４号公報
【特許文献３】特開２０１１−２４００４９号公報
【特許文献４】特開２００６−２９６７５１号公報
【特許文献５】特開２０１１−２２９８４８号公報
【発明の概要】
【発明が解決しようとする課題】
【０００７】
しかしながら、上記特許文献５記載の技術では、インジケータが股間領域に位置するため外部から確認し難いという問題点がある。
【０００８】
また、この問題点を解決する構造として、アウターのウエスト縁部からインジケータを突出させることも考えられたが、尿がウエスト縁部まで上昇してインジケータを変色させることが極めて困難であった。
【０００９】
そこで、本発明の主たる課題は、アウター固定タイプの使い捨ておむつにおいて、インジケータが容易に変色するとともに、アウターの構造に関わらずアウターの外部から容易にインジケータの変色を確認できるようにすることにある。
【課題を解決するための手段】
【００１０】
上記課題を解決した本発明は次記のとおりである。
＜請求項１記載の発明＞
側縁に脚周りに沿う括れ部分が設けられており、
この括れ部分の前後方向中央部と対応する前後方向領域である股間領域と、股間領域よりも前側及び後側にそれぞれ延在する股間前側領域及び股間後側領域とを有し、
液透過性トップシートと、液不透過性シートと、これらの間に介在された吸収体と、アウターの内面に固定するためのズレ止め部とを備えた、アウター固定タイプ使い捨ておむつにおいて、
前記股間領域の幅方向中央部における前記液不透過性シートと前記トップシートの間の位置から、前記股間前側領域又は股間後側領域の側縁の側方まで斜め方向に直線的に延び、当該側縁から側方に突出する部分が前記アウターの脚開口の外側まで延在し、突端が閉塞された尿導出管路と、
前記股間領域における前記液不透過性シートと前記トップシートの間の位置から前記尿導出管路の突端部まで延在する尿拡散部材と、
前記尿導出管路の突端部内に設けられた、尿との接触により変色するインジケータとを備え、
前記股間領域に排尿があると、尿が尿拡散部材を通じて前記尿導出管路の突端部まで拡散して前記インジケータを変色させ、このインジケータの変色を、前記アウターの装着状態で前記尿導出管路における前記アウターの脚開口の外側に突出する部分において視認可能なように構成されている、
ことを特徴とするアウター固定タイプ使い捨ておむつ。
【００１１】
（作用効果）
本発明のアウター固定タイプ使い捨ておむつでは、尿導出管路及び尿拡散部材により、股間領域に供給された尿の一部を斜め上方に向かって拡散させ、アウターの脚開口の外側に突出する部分に導出し、この部分においてインジケータを変色させる。したがって、最も尿供給が確実な位置（股間領域）から、より近く且つ尿の上昇移動の少ない位置（アウターの脚開口の外側）で且つ外部から確認しやすい位置まで尿を誘導してインジケータを変色させることになるため、例えばウエスト縁部にインジケータを設けてそこまで尿を上昇させる場合と比べて、格段に尿がインジケータに到達し易くなり、また変色したインジケータも、上記特許文献５のように股間領域に位置するものと比べて、覗き込む必要がなく、格段に確認しやすくなる。
また、尿導出管路をこのような向きに突出させることで、尿導出管路の存在による異物感が軽減され、またインジケータも視認しやすいものとなる。
【００１２】
＜請求項２記載の発明＞
股間領域と、股間領域よりも前側及び後側にそれぞれ延在する股間前側領域及び股間後側領域とを有し、
液透過性トップシートと、液不透過性シートと、これらの間に介在された吸収体と、アウターの内面に固定するためのズレ止め部とを備えた、アウター固定タイプ使い捨ておむつにおいて、
前記股間領域の幅方向中央部における前記液不透過性シートと前記トップシートの間の位置から、前記股間前側領域又は股間後側領域の側縁の側方まで脚の付け根に沿うように曲線状に延び、当該側縁から側方に突出する部分が前記アウターの脚開口の外側まで延在し、突端が閉塞された尿導出管路と、
前記股間領域における前記液不透過性シートと前記トップシートの間の位置から前記尿導出管路の突端部まで延在する尿拡散部材と、
前記尿導出管路の突端部内に設けられた、尿との接触により変色するインジケータとを備え、
前記股間領域に排尿があると、尿が尿拡散部材を通じて前記尿導出管路の突端部まで拡散して前記インジケータを変色させ、このインジケータの変色を、前記アウターの装着状態で前記尿導出管路における前記アウターの脚開口の外側に突出する部分において視認可能なように構成されている、
ことを特徴とするアウター固定タイプ使い捨ておむつ。
【００１３】
【００１４】
＜請求項３記載の発明＞
前記尿導出管路は、シートを前記突端で折り返して二重にし、両側縁をシールしたものである、請求項１又は２記載のアウター固定タイプ使い捨ておむつ。
【００１５】
【発明の効果】
【００１６】
以上の通り本発明によれば、アウター固定タイプの使い捨ておむつにおいて、インジケータが容易に変色するとともに、アウターの構造に関わらずアウターの外部から容易にインジケータの変色を確認できるようになる、等の利点がもたらされる。
【図面の簡単な説明】
【００１７】
【図１】パッドタイプ使い捨ておむつの展開状態の表面側を示す平面図である。
【図２】パッドタイプ使い捨ておむつの展開状態の裏面側を示す平面図である。
【図３】図１のＡ−Ａ断面図である。
【図４】図１のＢ−Ｂ断面図である。
【図５】図１のＣ−Ｃ断面図である。
【図６】パッドタイプ使い捨ておむつの装着要領を示す斜視図である。
【図７】尿外部導出体の（ａ）平面図、（ｂ）Ｄ−Ｄ断面図、（ｃ）Ｅ−Ｅ断面図、（ｄ）Ｆ−Ｆ断面図である。
【図８】パッドタイプ使い捨ておむつの装着要領を示す斜視図である。
【発明を実施するための形態】
【００１８】
以下、本発明の一実施形態について添付図面を参照しつつ説明する。
図１〜図６は、パッドタイプ使い捨ておむつ２００を示している。このパッドタイプ使い捨ておむつ２００は、前後方向中央に対して前側に延在する腹側部分Ｆ１及び後側に延在する背側部分Ｂ１とを有するものである。各部の寸法は適宜定めることができ、例えば、物品全長（前後方向長さ）Ｌ１は１５０〜４５０ｍｍ程度、全幅Ｗ１は１２０〜２００ｍｍ程度とすることができる。
【００１９】
パッドタイプ使い捨ておむつ２００は、液不透過性シート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２０】
吸収体２３の裏面側には、液不透過性シート２１が吸収体２３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２１】
液不透過性シート２１の外面（裏面）は、外装シート２５により覆われている。外装シート２５としては各種の不織布を用いることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
パッドタイプ使い捨ておむつ２００の前後方向両端部では、外装シート２５および透液性トップシート２２が吸収体２３の前後端よりも前後両側にそれぞれ延在されて貼り合わされ、吸収体２３の存在しないエンドフラップ部ＥＦが形成されている。
【００２４】
パッドタイプ使い捨ておむつ２００の両側部では、液不透過性シート２１が吸収体２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収体２３の存在しないサイドフラップ部ＳＦを構成している。これらを含め、素材の貼り合わせ部分は、ホットメルト接着剤、ヒートシール、超音波シールにより形成でき、図面では斜線模様で示されている。
【００２５】
これらエンドフラップ部ＥＦ及びサイドフラップ部ＳＦ以外の吸収体介在部分が、排泄物を保持する本体部を構成する。
【００２６】
ギャザーシート２４の素材としては、プラスチックシートやメルトブローン不織布を使用することもできるが、肌への感触性の点で、不織布にシリコンなどにより撥水処理をしたものが好適に使用される。
【００２７】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２８】
両ギャザーシート２４，２４は、幅方向外側の部分２４ｘが前後方向全体にわたり物品内面（図示形態ではトップシート２２表面および外装シート２５内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図４に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００２９】
そして、図２、図３および図５に示すように、パッドタイプ使い捨ておむつ２００の裏面には、粘着剤層からなるズレ止め部３０が設けられている。このズレ止め部３０としては、フック状突起を多数有するフックテープを用いることも可能である。フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープはホットメルト接着剤等により取り付けることができる。ズレ止め部３０は、図示例のように、剥離シート３１により剥離可能に被覆しておき、使用時に剥離シート３１を剥離してズレ止め部３０を露出させるのが望ましい。
【００３０】
図示例では、ズレ止め部３０を前後方向に沿って連続的に設けているが、腹側部分Ｆ１及び背側部分Ｂ１のそれぞれに設けたり、いずれか一方のみに設けたりしても良い。ズレ止め部３０を複数設ける場合、腹側部分Ｆ１及び背側部分Ｂ１に各少なくとも一つは設けるのが好ましい。
【００３１】
ズレ止め部３０は、その全体が本体部ＢＤの範囲内に収まるような寸法及び配置となっているのが好ましい。具体的には、ズレ止め部３０の幅Ｗ３は吸収体２３の幅Ｗ２の７０〜８０％程度、前後方向長さＬ３（前後方向に複数設ける場合は総長さ）は吸収体２３の全長Ｌ２の３０〜４０％程度であるのが好ましい。
【００３２】
特徴的には、股間前側領域Ｆ２（又は股間後側領域Ｂ２としても良い）の側縁から側方に向かって、アウター１００の脚開口の外側まで延在する程度に突出する、突端が閉塞された尿導出管路４１と、股間領域Ｍにおける液不透過性シート２１とトップシート２２の間の位置から尿導出管路４１の突端部まで延在する尿拡散部材４２と、尿導出管路４１の突端部内に設けられた、尿との接触により変色するインジケータ４３とを備えている。ここで、股間領域Ｍとは、装着者の股間（太ももの間）と対応する領域を意味し、通常の場合５０〜１５０ｍｍ程度の前後方向長さの領域である。図示例のように吸収体２３に脚周りに沿う括れ部分が設けられている場合や、おむつの側縁に脚周りに沿う括れ部分が設けられている場合には、その括れ部分の前後方向中央部が股間領域Ｍである。
【００３３】
使用時には、図６に示すようにパッドタイプ使い捨ておむつ２００の剥離シート３１を剥離してズレ止め部３０を露出させた状態で、アウター１００の内面に敷いて固定する。そして、股間領域Ｍに排尿があると、尿が尿拡散部材４２を通じて尿導出管路４１の突端部まで拡散してインジケータ４３を変色させ、このインジケータ４３の変色が、アウター１００の装着状態で尿導出管路４１におけるアウター１００の脚開口の外側に突出する部分において視認可能となる。
【００３４】
このように、尿導出管路４１及び尿拡散部材４２により、股間領域Ｍに供給された尿の一部を斜め上方に向かって拡散させ、アウター１００の脚開口の外側に突出する部分に導出させると、最も尿供給が確実な位置（股間領域Ｍ）から、より近く且つ尿の上昇移動の少ない位置（アウター１００の脚開口の外側）で且つ外部から確認しやすい位置まで尿を導出させることになるため、例えばウエスト縁部にインジケータ４３を設けてそこまで尿を上昇させる場合と比べて、格段に尿がインジケータ４３に到達し易くなり、また変色したインジケータ４３も、覗き込む必要がなく、格段に確認しやすくなる。
【００３５】
尿導出管路４１は、図示形態のように吸収体２３上からおむつの側方まで延在させると少量の尿でもより高い確率で導出できる利点があるが、吸収体２３の下からおむつの側方まで延在させることもできる。尿導出管路４１を外部に出す部位は適宜定めることができ、図示例のようにおむつの側部がギャザーシート２４と外装シート２５との張り合わせ構造となっている場合には、これらの間を通して外部に突出させれば良い。
【００３６】
尿導出管路４１の内径は適宜定めることができるが厚み方向に潰した状態（したがって図示例のようなシート二重構造の場合は幅）で３〜１０ｍｍ程度であると、少ない尿量でも効率的に液体を搬送できるため好ましい。
【００３７】
また、尿導出管路４１は、図示形態のように股間前側領域Ｆ２の側縁からアウター１００の脚開口に沿う斜め側方に突出させると、突出部が装着者の鼠径部に位置することも相まって、尿導出管路４１の存在による異物感が軽減され、またインジケータ４３も視認しやすいものとなる。この観点から、尿導出管路４１は図示形態のように直線的に延在させるのではなく、脚の付け根に沿って曲線状に延在させるのも一つの好ましい形態である。もちろん、股間領域Ｍから股間前側領域Ｆ２の側縁までは斜め方向に延在するもののそこから真直ぐ側方に突出させることも可能である。
【００３８】
尿導出管路４１は、プラスチックチューブ等により構成することもできるが、薄く柔軟であることが望ましいため、図７に示すようにシートを先端で折り返して二重にし、両側縁をシールした構造が望ましい。この場合におけるシートの素材は、防水樹脂フィルムや撥水性不織布等を用いることができ、特に内面が撥水処理されていると尿の搬送がより促進されるため好ましい。また、尿導出管路４１の基端部が吸収体２３と重なる位置にある場合、尿導出管路４１の基端部の上部全体を開放して（上部に貫通孔を設けても良い）下部のみとすると、上方から供給される尿を受け止めて尿導出管路４１へ効率的に供給できるようになるため好ましい。
【００３９】
尿導出管路４１内に内蔵される尿拡散部材４２は、尿導出管路４１の基端から食み出していても、また管路内に隠れていても良い。尿拡散部材４２としては、コットン、クレープ紙、パルプ層、親水性不織布等の繊維素材の他、液体の搬送に適した液体搬送フィルム材やそれらを積層した素材を用いることができる。
【００４０】
インジケータ４３は、尿との接触により呈色反応を示すような着色剤や、尿中のｐＨを検知して呈色反応を示すような着色剤、或いは尿との反応により着色が消失する反応、尿に溶解（分散）して滲んだり消失したりする反応、その他の視覚的変化を示す薬剤を、適宜の溶剤や接着剤（ホットメルト接着剤等）に混合した状態で、尿導出管路４１の先端部の内面や、尿拡散部材４２の先端部等に塗布することにより形成することができる。尿などの水分との接触により呈色反応を示すような着色剤としては、例えば、水溶性、水分解性染料又はロイコ染料と該ロイコ染料を発色させるフェノール性化合物、酸性物質、電子受容性物質等の顕色剤とからなる着色剤を使用することが可能である。呈色により現れる色は特に限定されないが、アウターと同系色であると紛れて見え難くなるため、一般に乳幼児の下着は淡い色が多いため、色味の濃いものが好適である。
【００４１】
他方、図８に示すように、尿導出管路４１の先端部が肌に当たりにくくなるよう、尿導出管路４１がアウター１００の脚開口の縁でアウター１００の外面上に折り返されるように構成されていると好ましい。これにより、インジケータ４３の確認もより容易となる。この場合、図７（ｂ）に二点差線で囲んで示すように、尿導出管路４１の折り返し部分におけるアウター１００当接面に、アウター１００の外面に固定するための固定手段４４、例えば粘着剤層や、メカニカルファスナーのフックテープ（面ファスナーのオス材）を設け、図８に示すように、尿導出管路４１の折り返し部分をアウター１００に固定可能とするのが好ましい。
【産業上の利用可能性】
【００４２】
本発明は、アウターの内面に固定される限り、パッドタイプ使い捨ておむつ以外の形態の使い捨ておむつにも利用可能である。
【符号の説明】
【００４３】
２１…液不透過性シート、２２…トップシート、２３…吸収体、２４…ギャザーシート、２５…外装シート、３０…ズレ止め部、３１…剥離シート、１００…アウター、２００…パッドタイプ使い捨ておむつ、Ｆ２…股間前側領域、Ｂ２…股間後側領域、Ｍ…股間領域、４１…尿導出管路、４２…尿拡散部材、４３…インジケータ、４４…固定手段。
【図１】
0005960462.tif 000002
【図２】
0005960462.tif 000003
【図３】
0005960462.tif 000004
【図４】
0005960462.tif 000005
【図５】
0005960462.tif 000006
【図６】
0005960462.tif 000007
【図７】
0005960462.tif 000008
【図８】
0005960462.tif 000009